(57)【要約】【課題】  遠隔操作において、携帯性が向上およびコスト削減を図る携帯型情報処理装置、情報処理方法を提供する。【解決手段】  携帯型情報処理装置に赤外線受光器を具備し、この赤外線受光器より、任意に用意した赤外線リモコンの赤外線信号を受信して学習できる学習手段２０５（１）と、受信した赤外線信号と学習した信号パターンを比較し一致したか認識できる比較手段（２）と、その赤外線信号パターンに対応する携帯型情報処理装置に含まれる機能を関連付けできる関連付け手段（３）を備え、学習した赤外線信号パターンと一致する信号を受信することで、関連付けされた携帯型情報処理装置に含まれる機能が動作することにより、携帯型情報処理装置を遠隔操作できる。【選択図】  図３
2005150878.tif 000002
【特許請求の範囲】
【請求項１】
赤外線リモコンより発行された赤外線信号を受光する赤外線受光器を具備し、遠隔操作がなされる携帯型情報処理装置であって、
赤外線受光器が受光した赤外線信号を解析し、該信号の信号パターンを学習する学習手段と、
前記学習手段が学習した信号パターンを記憶する記憶手段とを有することを特徴とする携帯型情報処理装置。
【請求項２】
前記学習手段が学習した信号パターンと、赤外線リモコンの対象とするボタンとを関連付けるための制御を行う関連付け手段を有することを特徴とする請求項１に記載の携帯型情報処理装置。
【請求項３】
前記記憶手段に記憶される信号パターンと、
赤外線リモコンを使用した遠隔操作時に赤外線受光器が受光した赤外線信号を、前記学習手段が解析し、該信号の信号パターンとを比較する比較手段を有することを特徴とする請求項２に記載の携帯型情報処理装置。
【請求項４】
前記学習手段により学習させたい赤外線リモコンのうち、前記関連付け手段の制御により関連付けたいボタンを選ぶ、学習モードの状態と、
実際に赤外線リモコンによる遠隔操作を受け付ける、遠隔操作の待ち受け状態の２つの状態を切り替える状態切替手段を有することを特徴とする請求項３に記載の携帯型情報処理装置。
【請求項５】
赤外線リモコンより発行された赤外線信号を受光する赤外線受光器を具備し、遠隔操作がなされる携帯型情報処理装置における情報処理方法であって、
遠隔操作前に、状態切替手段により学習モードの状態に切り替えられる第１工程と、
赤外線リモコンのボタン操作があって、赤外線信号が発行され、学習手段が赤外線信号を解析し、該信号の信号パターンを学習し、関連付け手段が、前記学習手段が学習した信号パターンと、赤外線リモコンの対象とするボタンとを関連付けるための制御を行う第２工程とを有することを特徴とする情報処理方法。
【請求項６】
遠隔操作後に、前記状態切替手段により遠隔操作の待ち受け状態に切り替えられる第３工程と、
前記関連付け手段により関連付けられた赤外線リモコンのボタン操作があって、赤外線信号が発行され、前記学習手段が赤外線信号を解析し、
比較手段が、該解析の解析結果としての信号パターンと、前記第２工程において関連付けられた信号パターンとを比較する第４工程とを有することを特徴とする請求項５に記載の情報処理方法。
【発明の詳細な説明】
【技術分野】
【０００１】
本発明は、赤外線リモコンによる遠隔操作における携帯型情報処理装置、情報処理方法に関する。
【背景技術】
【０００２】
従来、携帯型情報処理装置を遠隔操作する方法としては、その携帯型情報処理装置専用に赤外線リモコンを添付するか、オプション品として別売りするのが一般的であった。
【０００３】
しかしこの方法では、赤外線リモコンを添付するか、オプション品として用意するため、コストが高くなる問題があった。また、使うユーザ側の問題としては、携帯型情報処理装置と一緒に赤外線リモコンを持ち歩かなければならず、携帯性が損なわれるという問題があった。
【０００４】
一方、ユーザが持ち歩く赤外線リモコンは、携帯型情報処理装置毎に用意する必要があり、場合によっては複数個の赤外線リモコンを用意することもあり、携帯性がさらに損なわれることになる。この点に関しては特許文献１に記載されているように１つのリモコンのキー操作で、複数の情報処理を行うことを可能にする技術を応用すればある程度緩和できるが、コスト面の問題などの解決にはならない。
【特許文献１】特開平７−７７７１号公報
【発明の開示】
【発明が解決しようとする課題】
【０００５】
上記事情を鑑みて本発明では、リモコン装置が発する赤外線信号を学習可能とすることで、本携帯型情報処理装置用に赤外線リモコンを用意しなくても、他社、他用途の赤外線リモコンで本携帯型情報処理装置を遠隔操作できる携帯型情報処理装置、情報処理方法を提供することを目的とする。
【課題を解決するための手段】
【０００６】
上記目的を達成するため、請求項１に記載の発明は、赤外線リモコンより発行された赤外線信号を受光する赤外線受光器を具備し、遠隔操作がなされる携帯型情報処理装置であって、赤外線受光器が受光した赤外線信号を解析し、該信号の信号パターンを学習する学習手段と、前記学習手段が学習した信号パターンを記憶する記憶手段とを有することを特徴とする。
【０００７】
請求項２に記載の発明は、請求項１に記載の携帯型情報処理装置において、前記学習手段が学習した信号パターンと、赤外線リモコンの対象とするボタンとを関連付けるための制御を行う関連付け手段を有することを特徴とする。
【０００８】
請求項３に記載の発明は、請求項２に記載の携帯型情報処理装置において、前記記憶手段に記憶される信号パターンと、赤外線リモコンを使用した遠隔操作時に赤外線受光器が受光した赤外線信号を、前記学習手段が解析し、該信号の信号パターンとを比較する比較手段を有することを特徴とする。
【０００９】
請求項４に記載の発明は、請求項３に記載の携帯型情報処理装置において、前記学習手段により学習させたい赤外線リモコンのうち、前記関連付け手段の制御により関連付けたいボタンを選ぶ、学習モードの状態と、実際に赤外線リモコンによる遠隔操作を受け付ける、遠隔操作の待ち受け状態の２つの状態を切り替える状態切替手段を有することを特徴とする。
【００１０】
請求項５に記載の発明は、赤外線リモコンより発行された赤外線信号を受光する赤外線受光器を具備し、遠隔操作がなされる携帯型情報処理装置における情報処理方法であって、遠隔操作前に、状態切替手段により学習モードの状態に切り替えられる第１工程と、赤外線リモコンのボタン操作があって、赤外線信号が発行され、学習手段が赤外線信号を解析し、該信号の信号パターンを学習し、関連付け手段が、前記学習手段が学習した信号パターンと、赤外線リモコンの対象とするボタンとを関連付けるための制御を行う第２工程とを有することを特徴とする。
【００１１】
請求項６に記載の発明は、請求項５に記載の情報処理方法において、遠隔操作後に、前記状態切替手段により遠隔操作の待ち受け状態に切り替えられる第３工程と、前記関連付け手段により関連付けられた赤外線リモコンのボタン操作があって、赤外線信号が発行され、前記学習手段が赤外線信号を解析し、比較手段が、該解析の解析結果としての信号パターンと、前記第２工程において関連付けられた信号パターンとを比較する第４工程とを有することを特徴とする。
【発明の効果】
【００１２】
リモコン装置が発する赤外線信号を学習可能とすることで、本携帯型情報処理装置用に赤外線リモコンを用意しなくても、他社、他用途の赤外線リモコンで本携帯型情報処理装置を遠隔操作できる。
【発明を実施するための最良の形態】
【００１３】
以下、本発明を実施するための最良の形態を図面を参照して説明する。
【００１４】
＜趣旨＞
従来、携帯型情報処理装置を遠隔操作する方法としては、その携帯型情報処理装置専用に赤外線リモコンを添付するか、オプション品として別売りするのが一般的な方法である。
【００１５】
しかしこの方法では、携帯型情報処理装置を発売するメーカ側としては赤外線リモコンを添付するか、オプション品として用意するため、開発コストや、在庫のコストが発生し、携帯型情報処理装置もしくはリモコン装置自体の値段が高くなる問題があった。
【００１６】
また、使うユーザ側の問題としては、携帯型情報処理装置と一緒に赤外線リモコンも持ち歩かなければならず、携帯性が損なわれるという問題があった。
【００１７】
とりわけ、携帯型情報処理装置の遠隔操作機能が、使う頻度はまれで、無くてもそれほど困らないといった位置づけのものであれば、さらに費用対効果が薄れ、採用がしにくいという問題があった。
【００１８】
ところで、赤外線リモコン機能を搭載した携帯電話も広く普及されるようになり、どこでも身近に赤外線リモコンが存在するようになってきている。
【００１９】
そこで本発明は、これらの問題を解決すべく、身近に存在する赤外線リモコンを携帯型情報処理装置の遠隔操作に利用することで解決を図った。
【００２０】
つまり、携帯型情報処理装置において、携帯型情報処理装置を外部より遠隔操作することを目的とし、それを実現する為に、携帯型情報処理装置に赤外線受光器を具備し、この赤外線受光器より、任意に用意した赤外線リモコンの赤外線信号を受信して学習できる機能と、受信した赤外線信号と学習した信号パターンを比較し一致したか認識できる機能と、その赤外線信号パターンに対応する携帯型情報処理装置に含まれる機能を関連付けできる機能を備え、学習した赤外線信号パターンと一致する信号を受信することで、関連付けされた携帯型情報処理装置に含まれる機能が動作することにより、携帯型情報処理装置を遠隔操作できることを特徴としたものである。
【００２１】
利用者は特定の赤外線リモコン装置を必要とせず、身近にある、他社他用途の赤外線リモコン装置を使用できることで、例えば旅行先の旅館にあるテレビのリモコンを使用したり、他の携帯装置に具備した赤外線リモコン機能などを利用することができる為、特定の赤外線リモコン装置を携帯する必要がなくなり、携帯型情報処理の携帯性が向上するという効果があり、携帯型情報処理装置を発売するメーカ側としては遠隔操作機能の為に赤外線リモコン装置を用意する必要がなくなりコストが削減できるという効果がある。
【００２２】
上記形態の実施例を以下に示す。
【実施例１】
【００２３】
＜実施例１の構成＞
図１を参照すると、本発明の一実施例としての任意の赤外線リモコンを使って携帯電話に内蔵されたデジタルカメラのシャッターを切ることができる携帯電話装置が示されている。以下、図１を参照し説明する。
【００２４】
本携帯電話装置は、デジタルカメラ１０１と、赤外線受光部１０２、そして、赤外線リモコン１０５とで構成される。
【００２５】
赤外線リモコン１０５は、本携帯型情報処理装置用に用意されたものではなく、他用途のリモコンであり、例えば旅先のホテルなどで使用する場合は備え付けのテレビのリモコンでも良いし、乗用車で移動した先で使用するときは、乗用車に備え付けられたナビゲーションシステムを操作する赤外線リモコンでも良い。近年では携帯電話装置やPDAに赤外線リモコン機能を持つものが多く出回っているのでそれを使用してもよく、赤外線受光部１０２が受信可能な信号であればどれでも良い。
【００２６】
赤外線リモコン１０５のうち、上部中央に位置するボタンが、携帯電話に内蔵されたデジタルカメラのシャッターを切るボタンに相当する。
【００２７】
図２は、本発明の携帯電話装置の内部構成が示されている。以下図２を参照し説明する。
【００２８】
本携帯電話装置は、マイクロコンピュータ部２０５を中心に、デジタルカメラ制御部２０１と、赤外線受信回路２０２、及び表示回路２０３、キー入力回路２０４、そして、赤外線受信信号を記録保持するメモリ２０６と接続される。
【００２９】
赤外線受信回路２０２から入力された赤外線リモコンの信号パターンは、マイクロコンピュータ部２０２へ送られる。
【００３０】
マイクロコンピュータ部２０５は、これに接続されたメモリ２０５へ、赤外線信号パターンを記録させたり、受信した赤外線信号と記録されている信号パターンと一致したかどうか比較することができる。
【００３１】
また、マイクロコンピュータ部２０５は、デジタルカメラ制御部２０１によりデジタルカメラ機能を制御し、撮影開始を指示してシャッターを切る動作を行うことが出来る。
【００３２】
デジタルカメラ制御部２０１の制御により、ユーザが図１中の赤外線リモコンのシャッターに相当するボタンを押したとき、マイクロコンピュータ部２０５は、表示回路２０３に対し、撮影した画像データを表示する動作を行わせる。
【００３３】
キー入力回路２０４は、本実施例の動作処理を行うにあたり、携帯電話装置１０２で行うべきユーザの操作を受け付ける箇所であり、その操作に応じてマイクロコンピュータ部２０５は、赤外線リモコン１０５による遠隔操作の種々の設定を行う。
【００３４】
本携帯電話装置において、赤外線受信部２０２における赤外線信号を受信する方式、受信信号のパターン、メモリ２０６の受信信号の記録方式、受信信号と、メモリ上の信号パターンの比較方法の実現方法などについては、業者にとってよく知られている方法で実現でき、かつ本発明とは直接関係しないのでその詳細な構成は省略する。
【００３５】
図３に、本実施例の遠隔操作に係る、マイクロコンピュータ部２０５の詳細な構成を示しており、学習手段２０５（１）と、比較手段２０５（２）と、関連付け手段２０５（３）と、状態切換手段２０５（４）が備えられている。
【００３６】
学習手段２０５（１）は、使用する赤外線リモコンが送信する赤外線信号を解析し、信号パターンを学習し、解析結果としての信号パターンをメモリ２０６へ記憶させる。
【００３７】
比較手段２０５（２）は、予めメモリ２０６に記憶させた信号パターンと、実際の遠隔操作時に赤外線リモコンより受信した赤外線信号を比較する。一致した場合、関連付け手段２０５（３）により関連付けされた機能の動作処理が行われる。
【００３８】
関連付け手段２０５（３）は、学習手段２０５（１）による解析結果としての信号パターンと、赤外線リモコン１０５の対象とするボタンとを関連付けるための制御を行う箇所であり、メモリ２０６にその関連付けの結果を記憶させる。
【００３９】
状態切替手段２０５（４）は、遠隔操作にあたり、学習モードの状態と、遠隔操作の待ち受け状態の２つの状態を切り替える箇所である。学習モードの状態では、学習手段２０５（１）により学習させたい赤外線リモコンのうち、関連付けたいボタンを選ぶようにする。また、遠隔操作の待ち受け状態では、実際に赤外線リモコンによる遠隔操作を受け付ける。
【００４０】
＜実施例１の動作＞
以下、実施例１の動作について図４のフローチャートを用いて説明する。
【００４１】
遠隔操作を行うにあたり、先立って、使用する赤外線リモコンが送信する信号パターンを本携帯型情報処理装置に入力し、学習させる。
【００４２】
そのために状態切替手段手段２０５（４）により本携帯型情報処理装置を学習モードの状態にする（Ｓ１）。
【００４３】
学習させたい赤外線リモコンのうち、デジタルカメラ機能のシャッター動作に関連付けたいボタンを選び、そのボタンを押すと、赤外線リモコンから赤外線で信号が発せられる（Ｓ２）。
【００４４】
発せられた信号は、赤外線受信回路２０２へ入力され、その信号を学習手段２０５（１）が解析し、解析された信号パターンがマイクロコンピュータ部２０５を介してメモリ２０６へ記録される。また、関連付け手段２０５（３）の制御により、デジタルカメラ機能のシャッター動作に関連付けの結果も記憶させる（Ｓ３）。
【００４５】
次に、遠隔操作を行う為、状態切替手段２０５（４）は、本携帯型情報処理装置を遠隔操作待ち受け状態にする（Ｓ４）。
【００４６】
この状態で、赤外線リモコンの先の手順で、関連付け手段２０５（３）の制御により、デジタルカメラ機能のシャッター動作に関連付けたボタンを押して本携帯型情報処理送信にむけて赤外線信号を送信すると、赤外線受信回路２０２へ入力され、マイクロコンピュータ部２０５に伝達される（Ｓ５）。
【００４７】
伝達された後、学習手段２０５（１）がその赤外線信号を解析する（Ｓ６）。
【００４８】
比較手段２０５（２）は、学習手段２０５（１）による解析結果としての信号パターンと、メモリ２０６へ記録されている赤外線信号パターンと比較する（Ｓ７）。
【００４９】
一致した場合、関連付け手段２０５（３）の制御により、この信号に関連付けされたデジタルカメラ機能のシャッター動作を開始させるべく、デジタルカメラ制御部２０１の制御を行う（Ｓ８）。
【００５０】
表示回路２０３には、撮影対象となる画面が表示されており、赤外線リモコン１０５を使用してシャッター動作を行うと、その画面が撮影される（Ｓ９）。
【００５１】
＜実施例１の効果＞
以上説明したように、実施例１においては、以下に記載するような効果を奏する。
【００５２】
第１の効果は、リモコン装置が発する赤外線信号を学習可能とすることで、本携帯型情報処理装置用に赤外線リモコンを用意しなくても、他社、他用途の赤外線リモコンで本携帯型情報処理装置を遠隔操作できることである。
【００５３】
第２の効果は、第１の効果により、室内、もしくは旅行先、外出先などにある身近に存在する赤外線リモコン装置を使用することができる為、本携帯型情報処理装置専用のリモコン装置を常時携帯しなくても遠隔操作を実現することができ、本携帯型情報処理装置の携帯性が向上することである。
【００５４】
第３の効果は、第１の効果により本携帯型情報処理装置を遠隔操作を行う為に本携帯型情報処理装置用に赤外線リモコンを添付したり、オプション装置として用意しなくても良いため、コストが削減できることである。
【００５５】
第４の効果は、リモコン装置が発する赤外線信号を学習することで、赤外線リモコン装置がどのメーカのどういったタイプのものかといった素性を知らなくても利用することができる為、詳しい知識をもたないユーザでも扱えることである。
【実施例２】
【００５６】
本発明の実施例２として、その基本的構成は上記の通りであるが、携帯型情報処理装置だけでなく、デジタルカメラやビデオカメラといった特定用途向けの情報装置にも応用でき、また携帯型だけでなく据え置き型のものでも応用可能である。
【００５７】
また、赤外線リモコンの信号を携帯型情報処理装置の機能と関連付けついて、一通りのみだけでなく、実際には複数のボタンについてそれぞれに別の機能と関連付けを複数にしても良い。
【００５８】
図１に示されている、デジタルカメラ１０１を内蔵した携帯電話装置を用いて具体的に説明すると、実施例１のように赤外線リモコン１０５にて、デジタルカメラのシャッターを切るボタンに相当し、上部中央に位置するボタンだけでなく、そのボタンのすぐ下に位置する「Ｗ」、「Ｔ」のボタンも使用していき、それぞれをデジタルカメラ１０１で撮影する画像を拡大、縮小するためのボタンとして取り扱うように複数の関連付けを行う。
【００５９】
そのために、状態切替手段２０５（４）により携帯電話装置を学習モードの状態にし、赤外線リモコン１０５の「Ｗ」、「Ｔ」のボタンそれぞれ押したとき、赤外線で対応する信号が発せられる。
【００６０】
学習手段２０５（１）がそれらの信号を解析し、解析された信号パターンをメモリ２０６へ記憶させる一方、関連付け手段２０５（３）の制御により、撮影する画像を拡大、縮小する動作と関連付け、その関連付けの結果もメモリ２０６へ記憶させる。
【００６１】
その後、状態切替手段２０５（４）により携帯電話装置を遠隔操作待ち受け状態にし、赤外線リモコン１０５の「Ｗ」、「Ｔ」のボタンそれぞれ押すと、画面の拡大、縮小が行われる。
【００６２】
この場合、学習可能な項目が増えれば増えるほど、学習作業が煩雑になる為、これを簡略化する方法として特許文献１にあるような方法を応用し、１つのキーのみ赤外線信号の入力を行うことで、赤外線リモコンが持つ他のキーの赤外線信号を類推し一括して機能を関連付けしてもよい。例えばテレビ受像機の赤外線リモコンにある数字キーを携帯電話装置の数字キーにそのまま割り当てるといった応用が可能である。
【実施例３】
【００６３】
本発明の実施例３として、第１の実施例としては赤外線リモコン装置の赤外線信号を携帯型情報処理装置に入力することで赤外線信号を学習させているが、各メーカの代表的なリモコン装置の赤外線信号パターン（プリセットコード）を携帯型情報処理装置に予め用意しておき、どのリモコン装置を使うかを、メーカ、機器のタイプなどリモコン装置を特定する情報を携帯型情報処理装置に入力し、赤外線信号パターン（プリセットコード）を選択するという方法に置き換えても良い。
【００６４】
この場合、リモコン装置についてメーカ、機器のタイプなど知識が必要になるが、赤外線リモコンから信号を入力させるという学習作業の手間が省け、作業時間が短縮できるという効果が加わる。
【００６５】
なお、上述した実施の形態は一例であって、これに限定するものではない。従って、本発明の要旨を変更しない範囲において種々変形することが可能である。
【図面の簡単な説明】
【００６６】
【図１】実施例１における赤外線リモコンと、携帯電話装置の外観図である。
【図２】実施例１における携帯電話装置の内部構成ブロック図である。
【図３】マイクロコンピュータ部２０５の詳細ブロック図である。
【図４】実施例１の動作に関するフローチャートである。
【符号の説明】
【００６７】
１０１    デジタルカメラ
１０２    赤外線受光部
１０５    赤外線リモコン
２０１    デジタルカメラ制御部
２０２    赤外線受信部
２０３    表示回路
２０４    キー入力回路
２０５    マイクロコンピュータ部
２０５（１）    学習手段
２０５（２）    比較手段
２０５（３）    関連付け手段
２０５（４）    状態切替手段
２０６    メモリ
【図１】
2005150878.tif 000003
【図２】
2005150878.tif 000004
【図３】
2005150878.tif 000005
【図４】
2005150878.tif 000006